(57)【要約】      （修正有）【課題】ユーザが所望のコンテンツを容易に選択できるコンテンツ検索装置及びコンテンツ検索方法を提供する。【解決手段】コンテンツ検索装置１は、複数の属性の中から、ユーザの利用目的に応じた１つ以上の属性を選択する属性選択部１４と、複数のコンテンツの中から、属性選択部により選択されたいずれかの前記属性を有する１つ以上の前記コンテンツを、属性ごとに選択するコンテンツ選択部１５と、コンテンツ選択部１５により選択された１つ以上のコンテンツの中からユーザがいずれか１つを選択可能なレコメンド画面を表示する画面表示部１６と、を備える。【選択図】図２
2019121204.tif 000002
【特許請求の範囲】
【請求項１】
複数の属性の中から、ユーザの利用目的に応じた１つ以上の属性を選択する属性選択部と、
複数のコンテンツの中から、前記属性選択部により選択されたいずれかの前記属性を有する１つ以上の前記コンテンツを、前記属性ごとに選択するコンテンツ選択部と、
前記コンテンツ選択部により選択された前記１つ以上のコンテンツの中から前記ユーザがいずれか１つを選択可能なレコメンド画面を表示する画面表示部と、
を備えるコンテンツ検索装置。
【請求項２】
前記画面表示部は、前記１つ以上のコンテンツのアイコンを、前記レコメンド画面における前記属性ごとに設定された領域に表示する
請求項１に記載のコンテンツ検索装置。
【請求項３】
前記１つ以上のコンテンツはそれぞれ優先順位を有し、
前記画面表示部は、前記優先順位が高い前記コンテンツほど、前記アイコンを大きく表示する
請求項２に記載のコンテンツ検索装置。
【請求項４】
前記画面表示部は、前記１つ以上のコンテンツのタイトルを、前記属性ごとにリスト表示する
請求項１に記載のコンテンツ検索装置。
【請求項５】
前記１つ以上のコンテンツはそれぞれ優先順位を有し、
前記画面表示部は、前記優先順位が高い順に、前記コンテンツの前記タイトルを並べて表示する
請求項４に記載のコンテンツ検索装置。
【請求項６】
前記コンテンツ選択部は、前記属性ごとの各コンテンツの再生履歴に基づいて、前記１つ以上のコンテンツを選択する
請求項１から請求項５までのいずれか１項に記載のコンテンツ検索装置。
【請求項７】
前記コンテンツ選択部は、前記属性ごとに選択する前記１つ以上のコンテンツを予め設定される
請求項１から請求項５までのいずれか１項に記載のコンテンツ検索装置。
【請求項８】
前記属性選択部は、前記利用目的ごとの各属性を有する前記コンテンツの再生履歴に基づいて、前記１つ以上の属性を選択する
請求項１から請求項７までのいずれか１項に記載のコンテンツ検索装置。
【請求項９】
前記属性選択部は、前記利用目的ごとに選択する前記１つ以上の属性を予め設定される
請求項１から請求項７までのいずれか１項に記載のコンテンツ検索装置。
【請求項１０】
複数の属性の中から、ユーザの利用目的に応じた１つ以上の属性を選択する属性選択ステップと、
複数のコンテンツの中から、前記属性選択ステップにより選択されたいずれかの前記属性を有する１つ以上の前記コンテンツを、前記属性ごとに選択するコンテンツ選択ステップと、
前記コンテンツ選択ステップにより選択された前記１つ以上のコンテンツの中から前記ユーザがいずれか１つを選択可能なレコメンド画面を表示する画面表示ステップと、
を備えるコンテンツ検索方法。
【発明の詳細な説明】
【技術分野】
【０００１】
本発明は、コンテンツ検索装置及びコンテンツ検索方法に関する。
【背景技術】
【０００２】
音楽、映像、ラジオ放送などの各種のコンテンツを再生するコンテンツ再生装置が広く利用されている。コンテンツ再生装置では、再生可能な複数のコンテンツの中から、ユーザが所望のコンテンツを検索するための方法として、再生可能なコンテンツのタイトルやその属性を一覧表示する方法が利用されている。
【先行技術文献】
【特許文献】
【０００３】
【特許文献１】特開２００２−２２２３６３号公報
【発明の概要】
【発明が解決しようとする課題】
【０００４】
しかしながら、上記従来の方法では、再生可能なコンテンツやその属性が増えるほど、ユーザに求められる操作が多くなるため、ユーザにとって必ずしも使いやすいものではなかった。例えば、ＤＡＢ（Digital Audio Broadcast）放送は１００番組以上放送されており、ＤＡＢ放送のプログラムタイプ（属性）は３０種類以上設定されている。このため、ＤＡＢ放送を再生するチューナでは、ユーザは、３０種類以上の中から所望のプログラムタイプを選択したり、１００番組以上の中から所望のラジオ番組のタイトルを選択したりする必要がある。このように、多くのタイトルや属性が一覧表示された場合、従来のコンテンツ再生装置では、ユーザは、一覧表示された画面に対して、スワイプ操作やスクロール操作を繰り返し行わなければ、所望のコンテンツを選択することができなかった。
【０００５】
本発明は、上記の課題に鑑みてなされたものであり、ユーザが所望のコンテンツを容易に選択できるコンテンツ検索装置及びコンテンツ検索方法を提供することを目的とする。
【課題を解決するための手段】
【０００６】
一実施形態に係るコンテンツ検索装置は、複数の属性の中から、ユーザの利用目的に応じた１つ以上の属性を選択する属性選択部と、複数のコンテンツの中から、前記属性選択部により選択されたいずれかの前記属性を有する１つ以上の前記コンテンツを、前記属性ごとに選択するコンテンツ選択部と、前記コンテンツ選択部により選択された前記１つ以上のコンテンツの中から前記ユーザがいずれか１つを選択可能なレコメンド画面を表示する画面表示部と、を備える。
【発明の効果】
【０００７】
本発明の各実施形態によれば、ユーザが所望のコンテンツを容易に選択できるコンテンツ検索装置及びコンテンツ検索方法を実現できる。
【図面の簡単な説明】
【０００８】
【図１】コンテンツ検索装置のハードウェア構成の一例を示す図。
【図２】コンテンツ検索装置の機能構成の一例を示す図。
【図３】コンテンツ情報の一例を示すテーブル。
【図４】履歴情報の一例を示すテーブル。
【図５】プログラムタイプの選択順位の一例を示すテーブル。
【図６】ラジオ番組の選択順位の一例を示すテーブル。
【図７】一覧画面の一例を示す図。
【図８】レコメンド画面の一例を示す図。
【図９】レコメンド画面の他の例を示す図。
【図１０】コンテンツ検索装置の動作の一例を示すフローチャート。
【発明を実施するための形態】
【０００９】
以下、本発明の各実施形態について、添付の図面を参照しながら説明する。なお、各実施形態に係る明細書及び図面の記載に関して、実質的に同一の機能構成を有する構成要素については、同一の符号を付することにより重畳した説明を省略する。
【００１０】
一実施形態に係るコンテンツ検索装置１について、図１〜図１０を参照して説明する。本実施形態に係るコンテンツ検索装置１は、複数のコンテンツの中からユーザが所望のコンテンツを検索するための装置であり、コンテンツを再生するコンテンツ再生装置に搭載される。コンテンツ検索装置１は、コンテンツ検索装置１（コンテンツ再生装置）の利用目的に応じた、ユーザが嗜好する可能性が高いコンテンツ及び属性を、ユーザにレコメンドする。
【００１１】
コンテンツの種類には、音楽、映像、及びラジオ放送が含まれる。音楽のコンテンツは楽曲であり、映像のコンテンツはテレビ番組や映画であり、ラジオ放送のコンテンツはラジオ番組である。以下、コンテンツ検索装置１がラジオ番組を再生する車載チューナに搭載される場合を例に説明するが、コンテンツ検索装置１はテレビやオーディオ機器などの他のコンテンツ再生装置に搭載されてもよい。
【００１２】
まず、コンテンツ検索装置１のハードウェア構成について説明する。図１は、コンテンツ検索装置１のハードウェア構成の一例を示す図である。図１のコンテンツ検索装置１は、ＣＰＵ（Central Processing Unit）１０１と、ＲＯＭ（Read Only Memory）１０２と、ＲＡＭ（Random Access Memory）１０３と、ＨＤＤ（Hard Disk Drive）１０４と、入力装置１０５と、表示装置１０６と、を備える。また、コンテンツ検索装置１は、通信インタフェース１０７と、バス１０８と、を備える。
【００１３】
ＣＰＵ１０１は、プログラムを実行することにより、コンテンツ検索装置１の各構成を制御し、コンテンツ検索装置１の機能を実現する。
【００１４】
ＲＯＭ１０２は、ＣＰＵ１０１が実行するプログラムや各種のデータを記憶する。
【００１５】
ＲＡＭ１０３は、ＣＰＵ１０１に作業領域を提供する。
【００１６】
ＨＤＤ１０４は、ＣＰＵ１０１が実行するプログラムや各種のデータを記憶する。
【００１７】
入力装置１０５は、ユーザの操作に応じた情報をコンテンツ検索装置１に入力する。入力装置１０５には、タッチパネル、キーボード、マウス、及びハードウェアボタンが含まれる。
【００１８】
表示装置１０６は、ユーザの操作に応じた画面を表示する。表示装置１０６には、液晶ディスプレイ、及び有機ＥＬ（Electro Luminescence）ディスプレイが含まれる。
【００１９】
通信インタフェース１０７は、コンテンツ検索装置１をインターネットやＬＡＮ（Local Area Network）などのネットワークに接続し、ネットワーク上の外部装置との通信を制御する。コンテンツ検索装置１は、通信インタフェース１０７を介して、外部装置と通信する。
【００２０】
バス１０８は、ＣＰＵ１０１、ＲＯＭ１０２、ＲＡＭ１０３、ＨＤＤ１０４、入力装置１０５、表示装置１０６、及び通信インタフェース１０７を相互に接続する。
【００２１】
なお、コンテンツ検索装置１のハードウェア構成は、図１の例に限られず、他の構成を備えてもよい。また、図１の例では、コンテンツ検索装置１が、ＰＣ（Personal Computer）、スマートフォン、タブレット端末、及びマイコンなどの、１つのコンピュータにより実現される場合を想定しているが、コンテンツ検索装置１は、ネットワークを介して接続された複数のコンピュータにより実現されてもよい。また、コンテンツ検索装置１は、少なくとも一部のハードウェア構成をコンテンツ再生装置と共有してもよい。
【００２２】
次に、コンテンツ検索装置１の機能構成について説明する。図２は、コンテンツ検索装置１の機能構成の一例を示す図である。図２のコンテンツ検索装置１は、コンテンツ情報記憶部１１と、履歴情報記憶部１２と、利用目的特定部１３と、属性選択部１４と、コンテンツ選択部１５と、画面表示部１６と、を備える。コンテンツ情報記憶部１１及び履歴情報記憶部１２は、ＲＯＭ１０２、ＲＡＭ１０３、及びＨＤＤ１０４などの記憶媒体により実現される。また、利用目的特定部１３、属性選択部１４、コンテンツ選択部１５、及び画面表示部１６は、ＣＰＵ１０１がプログラムを実行することにより実現される。
【００２３】
コンテンツ情報記憶部１１は、コンテンツ再生装置で再生可能な各コンテンツに関する情報（以下「コンテンツ情報」という。）を記憶する。コンテンツ情報には、コンテンツの識別情報、タイトル、属性、及びアイコン（ロゴ）、が含まれる。属性は、コンテンツに予め付与されていてもよいし、ユーザにより付与されてもよい。コンテンツの種類がラジオ放送である場合、属性として、プログラムタイプを利用できる。また、コンテンツの種類が音楽である場合、属性として、音楽のジャンル、アーティスト名、及びアルバム名などが利用できる。コンテンツの種類が映像である場合、属性として、テレビ番組や映画のジャンルなどが利用できる。
【００２４】
図３は、コンテンツ情報の一例を示すテーブルである。図３の各レコードが、各ラジオ番組のコンテンツ情報に相当する。図３の例では、コンテンツ情報には、ラジオ番組の番組ＩＤ（識別情報）、放送局名、タイトル、プログラムタイプ（属性）、アイコンが含まれる。例えば、番組ＩＤが「００１」である番組の放送局名は「ＡＡＡ」であり、タイトルは「ａａａ」であり、プログラムタイプは「Ｎｅｓｗ」であり、アイコンは「aaa.jpg」という画像データである。
【００２５】
コンテンツ情報記憶部１１は、コンテンツの種類がラジオ放送である場合、ラジオ放送を配信するサーバ（外部装置）から定期的にコンテンツ情報を取得し、更新するのが好ましい。これにより、コンテンツ情報記憶部１１に記憶されたコンテンツ情報を、現在再生可能な最新のコンテンツのコンテンツ情報に更新することができる。
【００２６】
また、コンテンツの種類が音楽であり、楽曲データがユーザによりコンテンツ再生装置に入力される場合には、コンテンツ情報記憶部１１は、ユーザにより入力された楽曲データから、各楽曲のコンテンツ情報を抽出し、記憶してもよい。これは、コンテンツの種類が映像である場合も同様である。
【００２７】
なお、コンテンツ情報は、図３の例に限られない。コンテンツ情報には、図３における放送局名のような、コンテンツの種類に応じた任意の情報が含まれ得る。
【００２８】
履歴情報記憶部１２は、コンテンツ再生装置で再生されたコンテンツの履歴情報（再生履歴）を記憶する。各履歴情報には、再生されたコンテンツの識別情報、タイトル、属性、再生日時、及び再生時間が含まれる。
【００２９】
図４は、履歴情報の一例を示すテーブルである。図４の各レコードが、各コンテンツの履歴情報に相当する。図４の例では、履歴情報には、ラジオ番組の再生日時、再生時間、番組ＩＤ（識別情報）、放送局名、タイトル、プログラムタイプ（属性）、及び利用目的が含まれる。例えば、１行目のレコードの再生日時は「１２／２５  １５：４０」であり、再生時間は「３０：００」であり、番組ＩＤが「００１」であり、放送局名は「ＡＡＡ」であり、タイトルは「ａａａ」であり、プログラムタイプは「Ｎｅｓｗ」であり、利用目的は「行楽」である。利用目的については後述する。
【００３０】
履歴情報記憶部１２は、コンテンツ再生装置でコンテンツが再生されるたびに、再生されたコンテンツのコンテンツ情報をコンテンツ情報記憶部１１から取得し、図４のような履歴情報を更新する。なお、履歴情報は、図４の例に限られない。履歴情報には、図４における放送局名のような、コンテンツの種類に応じた任意の情報が含まれ得る。
【００３１】
利用目的特定部１３は、ユーザによるコンテンツ検索装置１（コンテンツ再生装置）の利用目的を特定する。コンテンツ再生装置が車載チューナである場合、利用目的として、行楽、普段、ビジネス、及び買い物などが考えられる。利用目的は、ユーザにより設定されてもよいし、車両からの情報に基づいて、利用目的特定部１３が特定してもよい。後者の方法として、カーナビゲーションシステムに入力された目的地、車載カメラにより撮影された画像から特定された運転者、及び車両の走行開始日時などに基づいて、利用目的を特定する方法が考えられる。利用目的特定部１３は、図４の例のように、特定した利用目的を履歴情報記憶部１２に保存するのが好ましい。なお、利用目的の種類及び特定方法は、上記の例に限られない。
【００３２】
属性選択部１４は、コンテンツ情報記憶部１１に記憶された複数のプログラムタイプ（属性）の中から、ユーザの利用目的に応じたＮ個（Ｎ≧１）のプログラムタイプを選択する。Ｎは、任意の値であり、予め設定された固定値であってもよいし、ユーザにより変更可能であってもよい。属性選択部１４により選択されるプログラムタイプは、後述するレコメンド画面においてユーザにレコメンドされるプログラムタイプである。ユーザが嗜好するプログラムタイプは、利用目的に応じて異なると考えられるため、属性選択部１４は、利用目的に応じた、ユーザが嗜好する可能性が高いＮ個のプログラムタイプを、ユーザにレコメンドするプログラムタイプとして選択する。また、属性選択部１４は、選択したプログラムタイプに、レコメンドの優先順位を付与する。
【００３３】
属性選択部１４は、プログラムタイプの選択順位を利用目的毎に予め設定されてもよい。この場合、属性選択部１４は、選択順位に従って選択した順に、各プログラムタイプに優先順位を付与すればよい。
【００３４】
図５は、利用目的毎に設定されたプログラムタイプの選択順位の一例を示すテーブルである。図５におけるプログラムタイプｉは、選択順位がｉ番目に設定されたプログラムタイプである。例えば、図５の例では、「行楽」に対応するプログラムタイプ１〜プログラムタイプ４として、それぞれ「Pop Music」、「Rock Music」、「Jazz Music」、及び「Light Classical」が設定されている。したがって、属性選択部１４は、利用目的が「行楽」である場合、「Pop Music」、「Rock Music」、「Jazz Music」、「Light Classical」の順に、Ｎ個のプログラムタイプを選択し、選択した順に各プログラムタイプに優先順位を付与する。
【００３５】
選択順位がＮ番目までのプログラムタイプに、現在再生可能なラジオ番組のプログラムタイプに含まれないプログラムタイプがある場合には、属性選択部１４は、当該プログラムタイプを選択せず、未選択のプログラムタイプの中で選択順位が次に高いプログラムタイプを選択すればよい。例えば、プログラムタイプ１を有するラジオ番組が現在再生不能である（配信されていない）場合、属性選択部１４は、Ｎ個のプログラムタイプとして、プログラムタイプ２〜プログラムタイプ（Ｎ＋１）を選択し、選択した順に、各プログラムタイプに優先順位を付与すればよい。
【００３６】
図５のようなテーブルは、ユーザにより設定されてもよいし、外部装置により設定されてもよい。後者の方法として、ラジオ放送を配信するサーバ（外部装置）から取得した、利用目的毎のプログラムタイプの人気ランキングを、利用目的毎のプログラムタイプの選択順位として利用する方法が考えられる。
【００３７】
一方、属性選択部１４は、履歴情報に基づいて、ユーザの利用目的に応じたＮ個のプログラムタイプを選択し、選択した各プログラムタイプに優先順位を付与してもよい。例えば、属性選択部１４は、所定期間の履歴情報を参照して、ラジオ番組の再生回数をプログラムタイプ毎に集計し、再生回数が多い順にＮ個のプログラムタイプを選択し、選択した順に各プログラムタイプに優先順位を付与してもよい。また、属性選択部１４は、所定期間の履歴情報を参照して、ラジオ番組の再生時間をプログラムタイプ毎に集計し、再生時間が長い順にＮ個のプログラムタイプを選択し、選択した順に各プログラムタイプに優先順位を付与してもよい。これにより、ユーザが嗜好する可能性が高いプログラムタイプを精度よく選択できる。さらに、属性選択部１４は、履歴情報に基づいてプログラムタイプを選択する際、所定期間の全ての履歴情報を参照してプログラムタイプを選択してもよいし、所定期間のうち履歴情報のうち、利用目的が一致する履歴情報だけを参照してプログラムタイプを選択してもよい。後者の方法により、ユーザが嗜好する可能性が高いプログラムタイプを、利用目的ごとに精度よく選択できる。
【００３８】
再生回数がＮ番目までのプログラムタイプに、現在再生可能なラジオ番組のプログラムタイプに含まれないプログラムタイプがある場合には、属性選択部１４は、当該プログラムタイプを選択せず、未選択のプログラムタイプの中で再生回数が次に多いプログラムタイプを選択すればよい。同様に、再生時間がＮ番目までのプログラムタイプに、現在再生可能なラジオ番組のプログラムタイプに含まれないプログラムタイプがある場合には、属性選択部１４は、当該プログラムタイプを選択せず、未選択のプログラムタイプの中で再生時間が次に長いプログラムタイプを選択すればよい。いずれの場合も、属性選択部１４は、プログラムタイプを選択した順に、各プログラムタイプに優先順位を付与すればよい。
【００３９】
なお、属性選択部１４によるプログラムタイプの選択方法は上記の例に限られない。属性選択部１４は、例えば、履歴情報と共に他の情報を利用して利用目的に応じたプログラムタイプを選択することも可能である。他の情報として、カーナビゲーションシステムに入力された目的地、車載カメラにより撮影された画像から特定された運転者、車両の走行開始日時、及び気象情報などが考えられる。
【００４０】
コンテンツ選択部１５は、コンテンツ情報記憶部１１にコンテンツ情報を記憶された複数のラジオ番組（コンテンツ）の中から、属性選択部１４により選択されたいずれかのプログラムタイプを有するＭ個（Ｍ≧１）のラジオ番組を選択する。コンテンツ選択部１５は、Ｍ個のラジオ番組をプログラムタイプ毎に選択するため、全部で（Ｎ×Ｍ）個のラジオ番組が選択される。Ｍは、任意の値であり、予め設定された固定値であってもよいし、ユーザにより変更可能であってもよい。コンテンツ選択部１５により選択されるラジオ番組は、後述するレコメンド画面においてユーザにレコメンドされるラジオ番組である。コンテンツ選択部１５は、プログラムタイプ毎に、ユーザが嗜好する可能性が高いＭ個のラジオ番組を、ユーザにレコメンドするラジオ番組として選択する。また、コンテンツ選択部１５は、選択したラジオ番組に、レコメンドの優先順位を付与する。
【００４１】
コンテンツ選択部１５は、ラジオ番組の選択順位をプログラムタイプ毎に予め設定されてもよい。この場合、コンテンツ選択部１５は、選択順位に従って選択した順に、各ラジオ番組に優先順位を付与すればよい。
【００４２】
図６は、プログラムタイプ毎に設定されたラジオ番組の選択順位の一例を示すテーブルである。図６における番組ｉは、選択順位がｉ番目に設定されたラジオ番組である。例えば、図６の例では、「Pop Music」に対応する番組１〜番組４として、それぞれ「ｄｄｄ」、「ｅｅｅ」、「ｆｆｆ」、及び「ｇｇｇ」が設定されている。したがって、コンテンツ選択部１５は、プログラムタイプが「Pop Music」である場合、「ｄｄｄ」、「ｅｅｅ」、「ｆｆｆ」、及び「ｇｇｇ」の順に、Ｍ個のラジオ番組を選択し、選択した順に各ラジオ番組に優先順位を付与する。
【００４３】
選択順位がＭ番目までのラジオ番組が現在再生可能でない場合には、コンテンツ選択部１５は、当該ラジオ番組を選択せず、未選択のラジオ番組の中で選択順位が次に高いラジオ番組を選択すればよい。例えば、番組１が現在再生不能である（配信されていない）場合、コンテンツ選択部１５は、Ｍ個のプログラムタイプとして、番組２〜番組（Ｍ＋１）を選択し、選択した順に、各ラジオ番組に優先順位を付与すればよい。
【００４４】
図６のようなテーブルは、ユーザにより設定されてもよいし、外部装置により設定されてもよい。後者の方法として、ラジオ放送を配信するサーバ（外部装置）から取得した、プログラムタイプ毎のラジオ番組の人気ランキングを、プログラムタイプ毎のラジオ番組の選択順位として利用する方法が考えられる。
【００４５】
また、ユーザが嗜好するラジオ番組は、利用目的に応じて異なると考えられるため、コンテンツ選択部１５は、プログラムタイプ毎に、利用目的に応じたＭ個のラジオ番組を、ユーザにレコメンドするラジオ番組として選択するのが好ましい。これは、図６のようなテーブルを利用目的ごとに設定することにより可能となる。
【００４６】
一方、コンテンツ選択部１５は、履歴情報に基づいて、プログラムタイプに応じたＭ個のラジオ番組を選択し、選択した各ラジオ番組に優先順位を付与してもよい。例えば、コンテンツ選択部１５は、所定期間の履歴情報を参照して、ラジオ番組の再生回数をプログラムタイプ毎に集計し、再生回数が多い順にＭ個のラジオ番組を選択し、選択した順に各ラジオ番組に優先順位を付与してもよい。また、コンテンツ選択部１５は、所定期間の履歴情報を参照して、ラジオ番組の再生時間をプログラムタイプ毎に集計し、再生時間が長い順にＭ個のラジオ番組を選択し、選択した順に各ラジオ番組に優先順位を付与してもよい。これにより、ユーザが嗜好する可能性が高いラジオ番組を精度よく選択できる。さらに、コンテンツ選択部１５は、履歴情報に基づいてラジオ番組を選択する際、所定期間の全ての履歴情報を参照してラジオ番組を選択してもよいし、所定期間のうち履歴情報のうち、利用目的が一致する履歴情報だけを参照してラジオ番組を選択してもよい。後者の方法により、ユーザが嗜好する可能性が高いラジオ番組を、利用目的ごとに精度よく選択できる。
【００４７】
再生回数がＮ番目までのラジオ番組に現在再生不能なラジオ番組が含まれる場合には、コンテンツ選択部１５は、当該ラジオ番組を選択せず、未選択のラジオ番組の中で再生回数が次に多いラジオ番組を選択すればよい。同様に、再生時間がＭ番目までのラジオ番組に現在再生不能なラジオ番組が含まれる場合には、コンテンツ選択部１５は、当該ラジオ番組を選択せず、未選択のラジオ番組の中で再生時間が次に長いラジオ番組を選択すればよい。いずれの場合も、コンテンツ選択部１５は、ラジオ番組を選択した順に、各ラジオ番組に優先順位を付与すればよい。
【００４８】
なお、コンテンツ選択部１５によるラジオ番組の選択方法は上記の例に限られない。コンテンツ選択部１５は、例えば、履歴情報と共に他の情報を利用して利用目的に応じたラジオ番組を選択することも可能である。他の情報として、カーナビゲーションシステムに入力された目的地、車載カメラにより撮影された画像から特定された運転者、車両の走行開始日時、及び気象情報などが考えられる。
【００４９】
画面表示部１６は、ユーザの操作に応じた各種の画面を表示装置１０６に表示する。画面表示部１６が表示する画面には、ホーム画面、設定画面、一覧画面、再生画面、及びレコメンド画面が含まれる。
【００５０】
一覧画面は、現在再生可能なラジオ番組を一覧表示する画面である。ユーザは、一覧画面に表示されたラジオ番組の中から所望のラジオ番組を選択できる。図７は、一覧画面の一例を示す図である。図７の一覧画面には、ホーム画面を表示するためのホームボタンと、一覧画面を表示するための一覧ボタンと、レコメンド画面を表示させるレコメンドボタンと、設定画面を表示させる設定ボタンと、再生可能なラジオ番組のタイトル及びプログラムタイプの一覧と、が表示されている。ユーザは、スワイプ操作やスクロール操作を繰り返すことにより、所望のラジオ番組を検索し、選択することができる。一覧画面では、再生可能なラジオ放送が多いほど、スワイプ操作やスクロール操作の回数が増えるため、ラジオ番組の選択に手間がかかる。
【００５１】
レコメンド画面は、ユーザが嗜好する可能性が高いラジオ番組をユーザにレコメンドする画面である。具体的には、レコメンド画面には、コンテンツ選択部１５が選択したラジオ番組が、属性選択部１４が選択したプログラムタイプ毎に表示される。ユーザは、レコメンド画面に表示されたラジオ番組の中からいずれか１つのラジオ番組を選択できる。図８は、レコメンド画面の一例を示す図である。図８のレコメンド画面には、ホームボタンと、一覧ボタンと、レコメンドボタンと、設定ボタンと、再生可能なラジオ番組を選択するためのアイコンと、再生可能なラジオ番組のプログラムタイプと、が表示されている。
【００５２】
図８の例では、Ｎが４であり、Ｍが３である。すなわち、ユーザが嗜好する可能性が高い４個のプログラムタイプが選択され、プログラムタイプごとにユーザが嗜好する可能性が高い３個のラジオ番組が選択されている。
【００５３】
画面表示部１６は、レコメンド画面に、プログラムタイプごとの領域Ｒを設定し、各領域Ｒを、対応するプログラムタイプに付与された優先順位に従って配置する。また、画面表示部１６は、各領域Ｒに、対応するプログラムタイプを表示する。
【００５４】
図８の例では、レコメンド画面には、「Pop Music」に対応する領域Ｒ１、「Rock Music」に対応する領域Ｒ２、「Jazz Music」に対応する領域Ｒ３、及び「Light Classical」に対応する領域Ｒ４が設定されており、「Pop Music」、「Rock Music」、「Jazz Music」、「Light Classical」の順で優先順位が高い場合が想定されている。
【００５５】
画面表示部１６は、各領域Ｒに、それぞれ対応するプログラムタイプのラジオ番組のアイコンを表示する。ユーザは、アイコンを、タップ操作などで選択することにより、アイコンに対応するラジオ番組を選択することができる。また、画面表示部１６は、プログラムタイプごとに選択されたラジオ番組のアイコンを、対応するラジオ番組に付与された優先順位が高いほど大きく表示する。
【００５６】
図８の例では、領域Ｒ１には、「Pop Music」のラジオ番組である「ｂｂｂ」、「ｄｄｄ」、及び「ｏｏｏ」のアイコンが表示されており、「ｂｂｂ」、「ｄｄｄ」、「ｏｏｏ」の順で優先順位が高い場合が想定されている。このため、「ｂｂｂ」、「ｄｄｄ」、「ｏｏｏ」の順でアイコンが大きく表示されている。
【００５７】
このように、レコメンド画面には、ユーザが嗜好する可能性が高いラジオ番組のアイコンが、プログラムタイプごとに、一画面上に表示される。したがって、再生可能なラジオ番組が多い場合であっても、ユーザは、レコメンド画面を確認することにより、所望のラジオ番組を容易に検索することができる。また、所望のラジオ番組のアイコンがレコメンド画面に表示されていた場合、ユーザは、１回のタップ操作などで、容易に所望のラジオ番組を選択することができる。結果として、レコメンド画面を利用する場合、一覧画面を利用する場合に比べて、ユーザは、所望のラジオ番組を容易に検索し、選択することができる。また、優先順位が高いラジオ番組のアイコンほど大きく表示することにより、ユーザが嗜好する可能性が高いラジオ番組のアイコンほど、ユーザに見つけやすくすることができる。
【００５８】
なお、レコメンド画面は、図８の例に限られない。例えば、図９の例のように、画面表示部１６は、ユーザが嗜好する可能性が高いラジオ番組のタイトルを、プログラムタイプごとにリスト表示してもよい。この場合、図９に示すように、ラジオ番組の優先順位が高い順に、タイトルを並べるのが好ましい。図９の例であっても、図８の例と同様に、ユーザは、レコメンド画面上で、所望のラジオ番組を容易に検索し、選択することができる。
【００５９】
次に、コンテンツ検索装置１の動作について説明する。図１０は、コンテンツ検索装置１の動作の一例を示すフローチャートである。コンテンツ検索装置１は、レコメンドボタンを選択されると以下の動作を実行する。
【００６０】
まず、利用目的特定部１３は、ユーザによるコンテンツ検索装置１（コンテンツ再生装置）の利用目的を特定する（ステップＳ１０１）。利用目的の特定方法は上述の通りである。利用目的特定部１３は、特定した利用目的を属性選択部１４に通知する。なお、利用目的を特定するタイミングは、レコメンドボタンの選択後に限られない。利用目的特定部１３は、定期的に利用目的を特定してもよいし、カーナビゲーションシステムに目的地が入力されたタイミングやコンテンツ検索装置１が起動されたタイミングなどの所定のタイミングに利用目的を特定してもよい。
【００６１】
次に、属性選択部１４は、コンテンツ情報記憶部１１にコンテンツ情報を記憶された現在再生可能なラジオ番組のプログラムタイプの中から、ユーザの利用目的に応じたＮ個のプログラムタイプを選択する（ステップＳ１０２）。プログラムタイプの選択方法は、上述の通りである。属性選択部１４は、選択したＮ個のプログラムタイプをコンテンツ選択部１５に通知する。
【００６２】
続いて、コンテンツ選択部１５は、コンテンツ情報記憶部１１にコンテンツ情報を記憶された現在再生可能なラジオ番組の中から、属性選択部１４により選択されたいずれかのプログラムタイプを有するＭ個のラジオ番組を、Ｎ個のプログラムタイプごとに選択する（ステップＳ１０３）。プログラムタイプごとのラジオ番組の選択方法は、上述の通りである。コンテンツ選択部１５は、選択した（Ｎ×Ｍ）個のラジオ番組を画面表示部１６に通知する。
【００６３】
そして、画面表示部１６は、コンテンツ選択部１５から通知された複数のラジオ番組がプログラムタイプごとに表示されたレコメンド画面を表示する（ステップＳ１０４）。画像表示部１６は、図８のようなレコメンド画面を表示してもよいし、図９のようなレコメンド画面を表示してもよい。
【００６４】
その後、ユーザがレコメンド画面上でラジオ番組を選択し、再生すると、再生されたラジオ番組の履歴情報が履歴情報記憶部１２に追加される。履歴情報記憶部１２に記憶された履歴情報が増えるほど、属性選択部１４及びコンテンツ選択部１５は、利用目的に応じたプログラムタイプやラジオ番組を精度よく選択することができる。
【００６５】
なお、上記実施形態に挙げた構成等に、その他の要素との組み合わせなど、ここで示した構成に本発明が限定されるものではない。これらの点に関しては、本発明の趣旨を逸脱しない範囲で変更可能であり、その応用形態に応じて適切に定めることができる。
【符号の説明】
【００６６】
１：コンテンツ検索装置
１１：コンテンツ情報記憶部
１２：履歴情報記憶部
１３：利用目的特定部
１４：属性選択部
１５：コンテンツ選択部
１６：画面表示部
【図１】
2019121204.tif 000003
【図２】
2019121204.tif 000004
【図３】
2019121204.tif 000005
【図４】
2019121204.tif 000006
【図５】
2019121204.tif 000007
【図６】
2019121204.tif 000008
【図７】
2019121204.tif 000009
【図８】
2019121204.tif 000010
【図９】
2019121204.tif 000011
【図１０】
2019121204.tif 000012